(57)【特許請求の範囲】
【請求項１】
金属パネルと、該金属パネルの表面に取り付けられる収納トレイとを備えたミラーキャビネットであって、
前記収納トレイは、押出成形法により成形された金属製のボディと、該金属製のボディの両端に冠着された樹脂製のキャップとからなり、
前記キャップは、前記収納トレイのボディよりも前記金属パネル側に突出した当接部を備え、該当接部が前記ボディと前記金属パネルとを離隔させることを特徴とするミラーキャビネット。
【請求項２】
前記収納トレイのボディと前記金属パネルとは異種金属にて形成されていることを特徴とする請求項１に記載のミラーキャビネット。
【請求項３】
前記収納トレイのボディおよび前記金属パネルはそれぞれアルミニウムとステンレス鋼にて形成されていることを特徴とする請求項１または２に記載のミラーキャビネット。
【請求項４】
前記金属パネルは、該金属パネルの表面にフックを備え、前記収納トレイのボディは該フックに着脱自在に嵌合可能であることを特徴とする請求項１から３のいずれか１項に記載のミラーキャビネット。
【請求項５】
前記フックは、樹脂製であることを特徴とする請求項４に記載のミラーキャビネット。
【発明の詳細な説明】
【技術分野】
【０００１】
本発明は、洗面化粧台に洗面カウンターと共に設置されるミラーキャビネットに関するものである。
【背景技術】
【０００２】
従来から、浴室に隣接して設けられる脱衣所等には、洗面化粧台が設置されている。この洗面化粧台は、大別すれば洗面カウンターとその上方に備えられたミラーキャビネットから構成される。洗面カウンターは排水口と洗面ボウルと水栓とを基本構成として備え、洗面ボウルを利用した洗面や手洗いをするための洗面台としての機能を有する。
【０００３】
ミラーキャビネットは、前面に配置された鏡と、当該鏡を支持する基体とを基本構成として備え、鏡に使用者の顔や髪を映し、化粧や整髪等を行うためのドレッサとしての機能を有する。
【０００４】
ミラーキャビネットの基体は、さらに使用者の利便性のため、蛍光灯などの照明器具、これを操作するためのスイッチ、ドライヤー等に電力供給するための電源コンセントを設け、また石鹸、歯ブラシあるいは化粧品等を載置するために棚等の収納部を設けている。このため、基体はある程度の凹凸形状を形成している場合が多い。この凹凸形状の加工のしやすさから、従来の基体は合成樹脂材料にて形成されることが多く、例えば特許文献１のように、合成樹脂を真空成型により製造する場合が多い。
【０００５】
しかし合成樹脂材料は、軽量であることや比較的安価であるという利点はあるものの、経年劣化による変色や、化粧品や掃除の際の薬品による変色、可塑化によるひび割れ等の問題がある。また、樹脂であるため、肉薄に成型すると強度面でも問題が生じる。
【０００６】
そこで特許文献２では、基体を剛性のある金属で形成することで、合成樹脂材料と比較して強度や耐薬品性、および清掃容易性を向上させたミラーキャビネットが開示されている。
【０００７】
しかし、収納トレイや照明器具等には金属部品が用いられることがあり、基体に金属パネルを用いたことで、二種の異なる金属が接触する場合がある。そして、異種金属が同時に電解質溶液（例えば水滴）に接触したとき、いわゆる電蝕が生じてしまうという課題が発生する。
【０００８】
そこで特許文献２では、例えば収納トレイに対しては、絶縁体のフックを基体に装着し、当該フックに収納トレイを嵌合させて、基体と収納トレイとを接触させないことで電蝕を防止している。
【先行技術文献】
【特許文献】
【０００９】
【特許文献１】特開平０５−１６１５５７号公報
【特許文献２】特開２００８−１３６５０６号公報
【発明の概要】
【発明が解決しようとする課題】
【００１０】
しかし、収納トレイとフックとを嵌合のみさせた場合、収納トレイに収納される物品の重量バランスによっては、収納トレイが傾いてしまい、トレイの端部がベースの金属パネルに接触してしまうおそれがある。
【００１１】
本発明は、このような課題に鑑み、金属パネルと収納トレイとでその素材に異種の金属を用いても確実に電蝕を防止しうるミラーキャビネットを提供することを目的としている。
【課題を解決するための手段】
【００１２】
上記課題を解決するために、本発明の代表的な構成は、金属パネルと、金属パネルの表面に取り付けられる収納トレイとを備えたミラーキャビネットであって、収納トレイは、押出成形法により成形された金属製のボディと、金属製のボディの両端に冠着された樹脂製のキャップとからなり、キャップは、収納トレイのボディよりも金属パネル側に突出した当接部を備え、当接部がボディと金属パネルとを離隔させることを特徴とする。
【００１３】
上記構成によれば、樹脂製のキャップにより、金属パネルと収納トレイが離隔され非接触となるため、電蝕を防止することができる。さらに収納トレイの両端の樹脂製キャップで金属パネルと当接するため、収納トレイの傾きも防止することが可能である。
【００１４】
収納トレイのボディと金属パネルとは異種金属にて形成されるとよい。すなわち、上述の樹脂製のキャップを用いることにより電蝕が防止されるため、用途に応じて適した材質を選択することが可能である。
【００１５】
収納トレイのボディおよび金属パネルはそれぞれアルミニウムとステンレス鋼にて形成されるとよい。これによれば、収納トレイのボディにアルミニウムを用いることにより、押出成形がしやすく、金属パネルにステンレス鋼を用いることにより、剛性が高く、所望のミラーキャビネットの強度が得られる。
【００１６】
金属パネルは、金属パネルの表面にフックを備え、収納トレイのボディはフックに着脱自在に嵌合可能であるとよい。このように収納トレイを着脱自在とすることで、トレイの清掃性が向上する。また、トレイの劣化や破損が生じた場合にも容易に交換可能である。
【００１７】
フックは、樹脂製であるとよい。これにより、金属パネルとフック間およびフックと収納トレイ間での電蝕を防止し、ミラーキャビネット全体として電蝕を防止することが可能である。
【発明の効果】
【００１８】
本発明によれば、金属パネルと収納トレイとでその素材に異種の金属を用いても電蝕が生じないミラーキャビネットを提供することが可能である。
【図面の簡単な説明】
【００１９】
【図１】本実施形態にかかる洗面化粧台の斜視図である。
【図２】本実施形態にかかるミラーキャビネット全体を説明する図である。
【図３】フックの構成を説明する図である。
【図４】本実施形態にかかる収納トレイの斜視図である。
【図５】本実施形態にかかる収納トレイの設置状態を示す図である。
【発明を実施するための形態】
【００２０】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２１】
図１は本実施形態にかかる洗面化粧台の斜視図である。図１に示すように、洗面化粧台１００は、ミラーキャビネット１２０と、洗面カウンター３００とから構成されている。
【００２２】
洗面カウンター３００は、湯水を供給する水栓３２０と排水口３６０を備えた洗面ボウル３４０とを備えている。また、洗面ボウル３４０の下方には引出３８０が設けられている。
【００２３】
ミラーキャビネット１２０は、鏡１６０と、金属パネル１４０と、金属パネル１４０に取り付けられた収納トレイ２００を備えている。鏡１６０は、使用者が水栓３２０や洗面ボウル３４０と同時に使用できるように、これらと対応する左右位置に配置されている。
【００２４】
図２は、本実施形態にかかるミラーキャビネットの分解斜視図である。ミラーキャビネット１２０は、枠体１３０を備える。枠体１３０は、四周の枠で形成され、強度補強の面から、４隅に補強板１３２をそれぞれ備え、枠体１３０の強度を保証している。枠体１３０の前面には上述の金属パネル１４０および鏡１６０が取り付けられており、さらにその上部に照明ベース１５０を、下部に通し棚１７０を備える。本実施形態においては、ミラーキャビネット１２０は１面鏡であり、一枚の鏡１６０が固定されている。
【００２５】
ここで、枠体１３０と、金属パネル１４０および鏡１６０によって、金属パネル１４０および鏡１６０の後方に空間が形成される。この空間には、後述の照明器具１８０等を電気的に接続するための配線が設けられる。金属パネル１４０には穴が形成されており、照明器具１８０や曇り止めヒーターなどのスイッチ（不図示）や、サービスコンセントなどが取り付けられる。
【００２６】
通し棚１７０は、アルミ製の押出成形材である。通し棚１７０は、枠体１３０に固定される蓋部１７０ａと、前方に突出して棚を構成する棚部１７０ｂとからなり、枠体の下端を覆う端部部材と棚の機能を兼ねている。
【００２７】
照明ベース１５０には、照明器具１８０が取り付けられている。照明器具１８０は、照明ユニット１８０ａと照明カバー１８０ｂから構成される。照明ユニット１８０ａは照明ベース１５０に固定されており、さらに蛍光灯１８０ｃが取り付けられる。
【００２８】
金属パネル１４０は、外側の側縁を後方に巻き込むように２回折り曲げて、断面コの字状に形成されている。これによりミラーキャビネット１２０の側面を金属パネル１４０が覆うこととなり、質感を向上させることによって美観の向上を図ることができる。金属パネル１４０の鏡１６０側の側縁は、背面側に後退する段差が形成されるように２回折り曲げられている。この段差に鏡１６０の端辺の背面を取り付けることにより、鏡１６０を取り付けた際に金属パネル１４０と鏡１６０との表面が略一致するように構成されている。鏡１６０は金属パネル１４０に対し、例えば両面テープや接着剤などを用いて固定される。金属パネル１４０の背面には、後述の補強桟１９０が備えられている。
【００２９】
金属パネル１４０の材質としては、ステンレス鋼、アルミニウム、鉄鋼などが選択できる。鉄鋼材料の場合、防錆のために、塗装あるいはめっき処理を行うことが好ましい。このように金属材料を用いたことで、強度や耐薬品性を向上させることができる。金属パネル１４０の材質としては、上記の中でも特にステンレス鋼を選択することが好ましい。これにより、ミラーキャビネット１２０の強度や耐薬品性が特に向上する。
【００３０】
また金属材料は、樹脂材料と比較して強度が大きいため、立体的な形状をとらずに鏡１６０や後述する収納トレイ２００等の支持物を支持することができる。このことは金属パネル１４０がフラットな形状で形成可能であることに寄与している。このため、金属パネル１４０の清掃容易性を向上させることができる。
【００３１】
金属パネル１４０の背面には補強桟１９０が備えられている。補強桟１９０は、金属パネル１４０の平面部のたわみやゆがみを防止するために設けられている。また補強桟１９０は、収納トレイ２００を取り付けるためのフック２８０を締結する際の受け部材としての役割も有している。したがって、補強桟１９０は、金属パネル１４０の全幅に亘る長さであって、かつフック２８０の取り付け位置に合わせた高さに配置される。
【００３２】
図３は、フック２８０の構成を説明する図である。フック２８０は、金属パネル１４０の前面側に突出して設置され、収納トレイ２００を掛止することができる。図３（ａ）に示すように、フック２８０はビット部２８２と、ネジ２８４と、フックキャップ２８６とを含んで構成されている。
【００３３】
図３（ｂ）に示すように、ビット部２８２は前方側の幅広部２８２ａと、後方側の幅狭部２８２ｂと、これらを貫通するネジ穴２８２ｄを有している。後述する収納トレイ２００の溝部２６０を幅狭部２８２ｂに嵌合させることにより、収納トレイ２００を安定して支持することができる。
【００３４】
また、図３（ｂ）に示すように、ビット部２８２は背面側のネジ穴２８２ｄの周囲に凸部２８２ｅを有し、またその下方に凸部２８２ｃを有している。凸部２８２ｅを金属パネル１４０の貫通孔１４２に挿入し、凸部２８２ｃを回転留め穴１４４に挿入することにより（図２参照）、フック２８０を金属パネル１４０に回転不能に取り付けることができる。
【００３５】
ネジ２８４はビット部２８２のネジ穴２８２ｄに前方側から挿通され、金属パネル１４０の貫通孔１４２を通して補強桟１９０に締結することができる。本実施形態では、ネジ２８４を木ネジとして図示しているが、フック２８０を締結できる締結部材であればよく、ボルト等を用いて代用することも可能である。
【００３６】
フックキャップ２８６は、ビット部２８２を取り付けた後に、ビット部２８２の前方側に被せるように取り付ける。すなわちフックキャップ２８６は、ネジ２８４の頭を隠すための化粧部材である。フックキャップ２８６の角部は面取りされて曲線化しているため、フック２８０は、収納トレイ２００に円滑に嵌合することができる。
【００３７】
フック２８０の材料としては樹脂が好適に用いられる。例えばフック２８０が金属製の場合、フック２８０と収納トレイ２００のボディ２２０間、あるいはフック２８０と金属パネル１４０間で、電蝕する可能性が生じるからである。そしてフック２８０を、導電性を有しない樹脂によって形成することにより、フック２８０とボディ２２０間あるいはフック２８０とパネル１４０間での電蝕を防止することが可能である。
【００３８】
収納トレイ２００は、その内部に物品を収容するための、天面が開口した容器である。これにより、洗面や歯磨き等に供する物品を収納トレイ２００上に搭載しておくことが可能であるので、利便性が向上する。
【００３９】
図４は、本実施形態にかかる収納トレイの斜視図である。図５は、本実施形態にかかる収納トレイの設置状態を示す図である。特に図４（ｂ）に示すように、収納トレイ２００は、ボディ２２０とその両端に設けられたキャップ２４０で構成される。
【００４０】
ボディ２２０は、押出成形法で成形したものを任意の長さで切断したものであり、その両端部にキャップ２４０を嵌合する。すなわち、収納トレイ２００は、ボディ２２０の左右両側にキャップ２４０が被せられた構造を有している。このため、長さの異なる収納トレイが必要な場合でも容易に作成することができ、製作コストを削減することが可能である。
【００４１】
ボディ２２０の材質は金属であり、特に加工の容易なアルミニウムであることが好ましい。アルミニウムは押出成形に適しており、また切削加工も容易である。これにより、所望の剛性が得られると共に、ボディ２２０の加工性が向上し、その結果、製作コストを削減することが可能である。
【００４２】
ボディ２２０の背面側には、下方が開口した逆Ｕ字形状の溝部２６０が設けられている。そして、溝部２６０の逆Ｕ字形状とフック２８０とが嵌合することでミラーキャビネット２００に着脱自在に取り付けられる。なお溝部２６０は、押出成形材であるボディ２２０の長さを決めた後に、ボディ２２０を切削加工することによって形成することができる。
【００４３】
キャップ２４０はボディ２２０の側面（端面）に冠着される部材であって、ボディ２２０の端面形状に合わせて射出成形して形成されている。キャップ２４０はボディの端面（切断面）を被覆して隠しつつ、容器としての収納トレイ２００の側面を構成して収納物の脱落を防止する。なおキャップ２４０はボディ２２０に対してはめ込みで取り付けてもよく、接着や締結などによって取り付けてもよい。
【００４４】
上述のように、金属パネル１４０とボディ２２０とが異種金属で構成されているため、２種の金属が仮に接触していると、電蝕を生じる可能性がある。ミラーキャビネット１２０は風呂場と隣接した場所に設置されることが多いため結露が生じやすく、金属パネル１４０とボディ２２０の間に水滴が付着する可能性が高いためである。
【００４５】
そこで本実施形態においては、ボディ２２０の両端部に設置されたキャップ２４０の材質を導電性のない樹脂製とし、かつ、金属パネル１４０側の縁に、収納トレイ２００のボディ２２０よりも金属パネル１４０側に突出した当接部２４０ａを設けている。
【００４６】
これにより、金属パネル１４０と収納トレイ２００とは、当接部２４０ａによって離隔される。すなわち図５に示すように、金属パネル１４０とボディ２２０との間に当接部２４０ａによって幅αのわずかな空間が設けられ、２種の金属の接触を防止する。
【００４７】
また当接部２４０ａは、キャップ２４０の一辺であるから、収納トレイ２００の上下方向の全高に亘る長さを有している。そして２つのキャップ２４０は当然に収納トレイ２００の両端にあるから、すなわち収納トレイ２００の最大幅の間隔をもって配置されている。これらのことから、当接部２４０ａは収納トレイ２００の大きさに対して最大幅かつ最大高さで金属パネル１４０に当接する。したがって収納トレイ２００の金属パネル１４０に対する安定性は極めて高く、収納トレイ２００に重量のある収納物を入れた際にも、収納トレイ２００が傾いたりすることがなく、ボディ２２０が金属パネル１４０に接触する場合がなく、電蝕を確実に防止することができる。
【００４８】
このように電蝕を防止できることから、金属パネル１４０と収納トレイ２００の材料選定において制限が生じない。このため、部位に応じて、外観や機能、加工性に応じて自由に材料を選定することができ、設計の自由度を向上させることができる。具体例として上述したように、金属パネル１４０には剛性と美観に優れたステンレス鋼を採用し、収納トレイ２００のボディ２２０には押出成形と加工性に優れたアルミニウム材を採用することが可能となる。
【００４９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、洗面化粧台に洗面カウンターと共に設置されるミラーキャビネットとして利用することができる。
【符号の説明】
【００５１】
１００…洗面化粧台、１２０…ミラーキャビネット、１３０…枠体、１４０…金属パネル、１５０…照明ベース、１６０…鏡、１７０…通し棚、１７０ａ…蓋部、１７０ｂ…棚部、１８０…照明器具、１８０ａ…照明ユニット、１８０ｂ…照明カバー、１８０ｃ…蛍光灯、１９０…補強桟、２００…収納トレイ、２２０…ボディ、２４０…キャップ、２４０ａ当接部、２６０…溝部、２８０…フック、２８２…ビット部、２８２ａ…幅広部、２８２ｂ…幅狭部、２８２ｃ…凸部、２８２ｄ…ネジ穴、２８２ｅ…凸部、２８４…ネジ、２８６…フックキャップ、３００…洗面カウンター、３２０…水栓、３４０…洗面ボウル、３６０…排水口、３８０…引出
【図１】
0005561962.tif 000002
【図２】
0005561962.tif 000003
【図３】
0005561962.tif 000004
【図４】
0005561962.tif 000005
【図５】
0005561962.tif 000006